(57)【要約】【課題】構造の簡単な早締めすることができるナットを提供する。【解決手段】ノブ本体１０は中心孔１１を形成する中心環状リブＲ１  と鉤片１２が嵌まる切り込み１３を形成した中間環状リブＲ２  と外周環状リブＲ３  とが一体に成形され、その外形は菊形のように握って廻し易いような形状となっている。ノブ本体１０の中心孔１１の片方（下側）から他方（上側）に向け、内面に沿い隙間１４をあけて片持ちの揺動アーム１５が設けられ、この揺動アーム１５の揺動端に部分雌ネジ１６が一体に設けられている。上記片持ちの揺動アーム１５は、中間リブＲ２  の内側に嵌まるリブＲ４  を周囲に形成し、そのリブＲ４  の要所に鉤片１２を形成した支持体１７に一体に設けられ、支持体１７の環状リブＲ４  が中間リブＲ２  の内側に嵌まり、鉤片１２が切り込み１３に係合して中心孔１１の内側に位置する。【選択図】  図１
2004225755.tif 000002
【特許請求の範囲】
【請求項１】
ノブの中心孔の片方から他方に向け、内面に沿い隙間をあけて片持ちの揺動アームを設け、この揺動アームの揺動端に部分雌ネジを一体に設けてなる早締めナット。
【請求項２】
上記片持ちの揺動アームを、中心孔内周に複数設けてなる請求項１に記載の早締めナット。
【請求項３】
上記早締めナットは揺動アーム支持体とノブ本体とからなり、揺動アーム支持体がノブ本体に嵌め込まれてなる請求項１または２に記載の早締めナット。
【請求項４】
断面Ｕ字状の環状体を形成し、該環状体の内周部分を軸方向に少なくとも二箇所に切り込みを入れて揺動片を形成し、該揺動片の揺動端に部分雌ネジを形成してなる早締めナット。
【請求項５】
上記Ｕ字状の環状体は、プラスチックにより成形してなる請求項４に記載の早締めナット。
【請求項６】
上記Ｕ字状の環状体は、金属板を塑性加工してなる請求項４に記載の早締めナット。
【請求項７】
上記断面Ｕ字状の環状体の外側環の両翼を蝶形にしてなる請求項４乃至６のいずれかに記載の早締めナット。
【発明の詳細な説明】
【０００１】
【発明の属する技術分野】
この発明は、早締めナットに関する。
【０００２】
【従来の技術】
早締めナットの先行技術として特許文献１がある。
【０００３】
【特許文献１】
特開２００２−８１４３０号公報（要約）
【０００４】
上記先行技術は「押し込み式プラスチックナット」と称し、図６に示すごとく「ナットケース６７の一部に輪状の狭溝６９とナットネジ部６０を設け、そしてナットネジ部６０のネジ山径はボルト６８のネジ山径より、山が接触するかしないか程度大きめにする。これによりナットケース６７と締めつけカップのセットされた仮接合ナットを押し込むだけで入り、続いて締めつけカップリング６２の上面より押し込むことにより、ネジ咬合い部６１にあるネジ山とネジ山とが咬合いロックするもの」である。
【０００５】
【発明が解決しようとする課題】
上記先行技術のものは、ボルト・ナットの咬合いをロックするには、ナットネジ部６０にボルト６８を仮に差し入れ、次いで狭溝６９に填め込み、リング６４を押し込まなければならず一動作でロックできず、部品もナットケース６７と締めつけカップリング６２の二つの部分が必要で構造も複雑である。
【０００６】
上記問題に鑑みこの発明は、構造が簡単で少ない動作で早締めを行い得る早締めナットを提供することを課題とする。
【０００７】
【課題を解決するための手段】
上記課題を解決するためにこの発明は、ノブの中心孔の片方から他方に向け、内面に沿い隙間をあけて片持ちの揺動アームを設け、この揺動アームの揺動端に部分雌ネジを一体に設けてなり（請求項１）、上記片持ちの揺動アームを、中心孔内周に複数設け（請求項２）、上記早締めナットは揺動アーム支持体とノブ本体とからなり、揺動アーム支持体がノブ本体に嵌め込まれた（請求項３）ものである。
【０００８】
また、断面Ｕ字状の環状体を形成し、該環状体の内周部分を軸方向に少なくとも二箇所に切り込みを入れて揺動片を形成し、該揺動片の揺動端に部分雌ネジを形成してなり（請求項４）、上記Ｕ字状の環状体は、プラスチックにより成形するか（請求項５）金属板の塑性加工により成形（請求項６）してなる。また、上記断面Ｕ字状の環状体の外側環状部分の両翼を蝶形（請求項７）にすることができる。
【０００９】
上記の如く構成する早締めナットによれば、ボルトにナットを嵌めるとき、ボルトの軸方向に早締めナットを押すと片持ち状態の揺動片が撓んで部分雌ネジとボルトの雄ネジとの螺合状態が外れてナットまたはボルトを回さないで軸方向に移動させることができ、その後ナットまたはボルトを廻すと揺動片の揺動端は突っ張り状態となって、部分雌ネジとボルトの雄ネジが螺合して締めつけ作用が発生する。即ち、早締め作業を行うことができる。
【００１０】
【発明の実施の形態】
次に、図面を参照しながらこの発明の実施形態を説明する。
【００１１】
【実施例１】
図１に示すようにノブ本体１０は中心孔１１を形成する中心環状リブＲ１  と鉤片１２が嵌まる切り込み１３を形成した中間環状リブＲ２  と外周環状リブＲ３  とが一体に成形され、その外形は菊形のように握って廻し易いような形状となっている。
【００１２】
ノブ本体１０の中心孔１１の片方（下側）から他方（上側）に向け、内面に沿い隙間１４をあけて片持ちの揺動アーム１５が設けられ、この揺動アーム１５の揺動端に部分雌ネジ１６が一体に形成されている。
【００１３】
上記片持ちの揺動アーム１５は、中間環状リブＲ２  の内側に嵌まる環状リブＲ４  を周囲に形成し、要所に鉤片１２を形成した支持体１７に一体に設けられ、支持体１７の環状リブＲ４  が中間環状リブＲ２  の内側に嵌まり、鉤片１２が切り込み１３に係合して中心孔１１の内側に位置する。
【００１４】
【実施例２】
図２に示すようにノブ本体１０は中心孔１１を形成する中心環状リブＲ１  と鉤片１２が嵌まる切り込み１３を形成した中間環状リブＲ２  と外周環状リブＲ３  とが一体に成形され、その外形は菊形のように握って廻し易いような形状となっている。
【００１５】
ノブ本体１０の中心孔１１の片方（下側）から他方（上側）に向け、内面に沿い隙間１４をあけて片持ちの２個の揺動アーム１５が設けられ、この揺動アーム１５の揺動端に部分雌ネジ１６が一体に形成されている。
【００１６】
上記片持ちの揺動アーム１５は、中間環状リブＲ２  の内側に嵌まる環状リブＲ４  を周囲に形成し、要所に鉤片１２を形成した支持体１７に一体に設けられ、支持体１７の環状リブＲ４  が中間リブＲ２  の内側に嵌まり、鉤片１２が切り込み１３に係合して中心孔１１の内側に位置する。
【００１７】
上記各実施例は、機械的強度の高いプラスチック材料を成形加工することにより得られる。そのため成型時の残留歪みによって「引け」や「反り返り」が起きないように設計される。また、金属板の塑性加工により得ることもできる。
【００１８】
実施例２では揺動アーム１５を中心孔１１の内面両側に２個設けたが、これより数を増やすこともできる。
【００１９】
【実施例３】
図３に示すように金属板を塑性加工（深絞り加工）により断面略Ｕ字状の環状体３０とし、該環状体３０の内周部分３１の両側に軸方向の切り込み３２を入れて揺動片３３を形成し、その揺動片３３の揺動端に部分雌ネジ３４を形成する。なお、３５は環状体３０をノブ本体３６に被せたときの嵌め殺し部である。
【００２０】
また、機械的強度の高いプラスチックを切り込みを入れた断面略Ｕ字状の環状体として射出成形し、切り込みにより形成された揺動片の揺動端に部分雌ネジを削設することにより、この実施例の早締めナットを製作することもできる。
【００２１】
この実施例では早締めナット部分のみであるから、実用的には外側にノブ本体３６を嵌め殺し状態で被せて使用される。
【００２２】
【実施例４】
図４に示すように金属板を塑性加工（深絞り加工）により断面略Ｕ字状の環状体４０とし、該環状体４０の内周部分４１の両側に軸方向の切り込み４２を入れて揺動片４３を形成し、その揺動片４３の揺動端に部分雌ネジ４４を形成する。なお、４５は環状体３０をノブ本体４６に被せたときの嵌め殺し部である。
【００２３】
また、機械的強度の高いプラスチックを切り込みを入れた断面略Ｕ字状の環状体として射出成形し、切り込みにより形成された揺動片の揺動端に部分雌ネジを削設することにより、この実施例の早締めナットを製作することもできる。
【００２４】
この実施例では早締めナット部分のみであるから、実用的には外側にノブ本体４６を嵌め殺し状態で被せて使用される。
【００２５】
【実施例５】
図５に示すように金属板を塑性加工（深絞り加工）により外側に蝶形５０と内側に筒状５１を成形し、内側の筒状５１の部分に軸方向の切り込み５２を入れて揺動片５３を形成し、その揺動片５３の揺動端に部分雌ネジ５４を形成する。このようにすることにより早締めの蝶ナットとすることができる。
【００２６】
【発明の効果】
以上説明したようにこの発明によれば、ボルトにナットを嵌め入れるとき、ナットをボルトの軸方向に押し込むと揺動片が撓んで揺動端に形成した部分雌ネジが開き、雌ネジ・雄ネジの螺合状態が解かれ、ナットまたはボルトを廻すと揺動片が突っ張り状態となって雌ネジ・雄ネジが螺合してネジによる締めつけ作用が発生する。
【図面の簡単な説明】
【図１】実施例１の縦断面図
【図２】実施例２の縦断面図
【図３】実施例３の（ａ）平面図、（ｂ）縦断面図
【図４】実施例４の（ａ）平面図、（ｂ）縦断面図
【図５】実施例５の（ａ）平面図、（ｂ）縦断面図
【図６】従来例の縦断面図
【符号の説明】
１０  ノブ本体
１１  中心孔
１２  鉤片
１３，３２，４２，５２  切り込み
１４  隙間
１５  揺動アーム
１６，３４，４４，５５  部分雌ネジ
１７  支持体
３０，４０  環状体（断面Ｕ字状の）
３１，４１  内周部分
３３，４３，５３  揺動片
３５，４５  嵌め殺し部
３６，４６  ノブ本体
５０  蝶形
５１  筒状
Ｒ１    中心環状リブ
Ｒ２    中間環状リブ
Ｒ３    外周環状リブ
Ｒ４    リブ（支持体の）
６０  ナットネジ部
６１  ネジ咬合い部
６２  カップリング
６３  ストップ凸部
６４  リング
６５  リング先端
６６  ストップ凹部
６７  ナットケース
６８  ボルト
６９  輪状狭溝
Ｂ  締め付け材
【図１】
2004225755.tif 000003
【図２】
2004225755.tif 000004
【図３】
2004225755.tif 000005
【図４】
2004225755.tif 000006
【図５】
2004225755.tif 000007
【図６】
2004225755.tif 000008